(57)【要約】【課題】流行を取り入れた販促情報を容易に作成する。【解決手段】サーバ４は、入力領域７３に入力された第１の検索キーワードに基づいて、対象となる商品の販売促進を目的とするキャッチコピーのサンプルが記憶されている販促情報データベースから第１の検索キーワードに対応したキャッチコピーのサンプルを検索し、入力領域７３に入力される第１の検索キーワードの参考として所定のトレンドワードを入力領域７３が表示される表示画面に表示させるＣＰＵ４１と、を備えることを特徴とする。【選択図】図２
2018136805.tif 000002
【特許請求の範囲】
【請求項１】
所定の入力領域に入力された第１の検索キーワードに基づいて、対象となる商品又は役務の販売促進を目的とする販促情報のサンプルが記憶されている所定のデータベースから前記第１の検索キーワードに対応した販促情報のサンプルを検索する検索手段と、
前記所定の入力領域に入力される第１の検索キーワードの参考として所定のトレンドワードを前記所定の入力領域が表示される表示画面に表示させる表示制御手段と、を備えることを特徴とする広告作成装置。
【請求項２】
前記販促情報は、広告の一部として記載されるキャッチコピーであることを特徴とする請求項１に記載の広告作成装置。
【請求項３】
インターネット上のコンテンツを検索対象とした第２の検索キーワードのうち所定の期間に検索数の上位とされた第２の検索キーワードを取得する第１取得手段を備え、
前記表示制御手段は、前記第１取得手段により取得された第２の検索キーワードを前記トレンドワードとして前記表示画面に表示させることを特徴とする請求項１に記載の広告作成装置。
【請求項４】
インターネットを介して提供されるソーシャル・ネットワーキング・サービスにおいて所定の期間に使用回数の上位とされたキーワードを取得する第２取得手段を備え、
前記表示制御手段は、前記第２取得手段により取得されたキーワードを前記トレンドワードとして前記表示画面に表示させることを特徴とする請求項１に記載の広告作成装置。
【請求項５】
ユーザの入力に基づき、対象となる商品又は役務の販売促進を目的とする販促情報を作成する販促情報作成装置であって、
前記販促情報の作成の参考となる参考情報としてトレンドワードを取得する第３取得手段と、
前記第３取得手段により取得された前記参考情報を提示する提示手段と、を備えることを特徴とする販促情報作成装置。
【請求項６】
前記第３取得手段は、あらかじめ入力されたユーザ情報に関連するトレンドワードを前記参考情報として取得することを特徴とする請求項５に記載の販促情報作成装置。
【請求項７】
前記第３取得手段は、前記商品又は役務に関連するトレンドワードを前記参考情報として取得することを特徴とする請求項５又は６に記載の販促情報作成装置。
【請求項８】
前記第３取得手段は、作成された前記販促情報に関連するトレンドワードを前記参考情報として取得することを特徴とする請求項５から７のいずれか一項に記載の販促情報作成装置。
【請求項９】
前記販促情報のサンプルを記憶する記憶手段と、
前記記憶手段から前記サンプルを前記参考情報として取得する第４取得手段と、を更に備え、
前記提示手段は、前記第４取得手段により取得された前記参考情報を更に提示することを特徴とする請求項５から８のいずれか一項に記載の販促情報作成装置。
【請求項１０】
前記提示手段は、前記販促情報を作成するためのユーザによる入力時に、前記参考情報を提示することを特徴とする請求項５から９のいずれか一項に記載の販促情報作成装置。
【請求項１１】
コンピュータを、
所定の入力領域に入力された第１の検索キーワードに基づいて、対象となる商品又は役務の販売促進を目的とする販促情報のサンプルが記憶されている所定のデータベースから前記第１の検索キーワードに対応した販促情報のサンプルを検索する検索手段、
前記所定の入力領域に入力される第１の検索キーワードの参考として所定のトレンドワードを前記所定の入力領域が表示される表示画面に表示させる表示制御手段、
として機能させるためのプログラム。
【請求項１２】
ユーザの入力に基づき、対象となる商品又は役務の販売促進を目的とする販促情報を作成する販促情報作成装置のコンピュータを、
前記販促情報の作成の参考となる参考情報としてトレンドワードを取得する第３取得手段、
前記第３取得手段により取得された前記参考情報を提示する提示手段、
として機能させるためのプログラム。
【発明の詳細な説明】
【技術分野】
【０００１】
本発明は、広告作成装置、販促情報作成装置及びプログラムに関する。
【背景技術】
【０００２】
従来、販促効果を高める目的でＰＯＰ（Point of purchase advertising）等の広告を作成する広告作成装置の開発が進められている。当該広告作成装置としては、例えば、商品の在庫数に基づいて商品名や価格を含むＰＯＰを作成するシステム等が提案されている（例えば、特許文献１参照）。
【先行技術文献】
【特許文献】
【０００３】
【特許文献１】特開２０１３−１９６４８８号公報
【発明の概要】
【発明が解決しようとする課題】
【０００４】
しかしながら、上記従来の技術にあっては、作成されるＰＯＰの中に含まれるキャッチコピーやアイキャッチといった販促情報は、あらかじめ用意されたものであるため、流行に対応しておらず、十分な販促効果が得られない場合がある。また、ユーザが当該ＰＯＰを編集して、流行を取り入れた販促情報に置き換えることも可能ではあるが、ユーザ自身がそのような販促情報を独力で考え出すことは困難であることが多い。
【０００５】
そこで、本発明は、流行を取り入れた販促情報を容易に作成できる広告作成装置、販促情報作成装置及びプログラムを提供することを目的としている。
【課題を解決するための手段】
【０００６】
以上の課題を解決するため、請求項１に記載の発明の広告作成装置は、
所定の入力領域に入力された第１の検索キーワードに基づいて、対象となる商品又は役務の販売促進を目的とする販促情報のサンプルが記憶されている所定のデータベースから前記第１の検索キーワードに対応した販促情報のサンプルを検索する検索手段と、
前記所定の入力領域に入力される第１の検索キーワードの参考として所定のトレンドワードを前記所定の入力領域が表示される表示画面に表示させる表示制御手段と、を備えることを特徴とする。
【発明の効果】
【０００７】
本発明によれば、流行を取り入れた販促情報を容易に作成できる広告作成装置、販促情報作成装置及びプログラムを提供することができる。
【図面の簡単な説明】
【０００８】
【図１】本実施形態の広告作成システムを示す概略構成図である。
【図２】サーバの機能構成を示すブロック図である。
【図３】携帯端末の機能構成を示すブロック図である。
【図４】情報入力前の入力画面の一例を示す図である。
【図５】情報入力後の入力画面の一例を示す図である。
【図６】プレビュー画面の一例を示す図である。
【図７】サーバにより行われる参考情報表示処理の一例を示すフローチャートである。
【図８】参考情報表示画面の一例を示す図である。
【図９】検索後の参考情報表示画面の一例を示す図である。
【図１０】検索後の参考情報表示画面の別の例を示す図である。
【発明を実施するための形態】
【０００９】
以下に、本発明を実施するための形態について図面を用いて説明する。ただし、以下に述べる実施形態には、本発明を実施するために技術的に好ましい種々の限定が付されているが、発明の範囲を以下の実施形態及び図示例に限定するものではない。
【００１０】
《広告作成システム１の構成》
まず、図１を参照して、本実施形態の構成を説明する。図１は、本実施形態の広告作成システム１の概略構成図である。
【００１１】
本実施形態の広告作成システム１は、入力される情報に基づき、広告としてのＰＯＰを作成するシステムであって、ＰＯＰに含まれる販促情報作成時に、販促情報を作成する上で参考となる参考情報を提示することで、販促情報の作成を支援できるシステムである。
【００１２】
本発明において、販促情報とは、ＰＯＰ等の広告の訴求力を向上させる目的で、当該広告内に表示される文字列であって、例えばキャッチコピーやアイキャッチ等が含まれる。また、本発明において、キャッチコピーとは、紹介する商品又は役務に関する文章であって、これを読んだ人に対して情報を伝えるものである。また、本発明において、アイキャッチとは、一目見ただけで何が記載されているかが判別できる程度の、キャッチコピーよりも短い文字列である。
【００１３】
図１に示すように、広告作成システム１は、サーバ（広告作成装置、販促情報作成装置）４と、ユーザ端末であるスマートフォンやタブレット端末等の携帯端末２ａ、２ｂと、ＰＣ（personal computer）３ａ、３ｂと、印刷装置１１と、サーバ１２と、を備えて構成され、各装置が通信ネットワークＮを介して通信接続される。以下、携帯端末２ａ、２ｂやＰＣ３ａ、３ｂを総称してユーザ端末と記すことがある。なお、携帯端末２ａ、２ｂ及びＰＣ３ａ、３ｂがサーバ４と通信接続するものとしたが、これに限られるものではなく、サーバ４によるサービスの提供を受けるユーザの数に応じて複数のユーザ端末が存在し、それらがサーバ４と通信接続する。
【００１４】
サーバ４は、販売促進を目的とする広告としてＰＯＰデータを作成し、作成されたＰＯＰデータを管理する。また、サーバ４は、ユーザ端末からの要求に応じて、ＰＯＰデータを作成するための情報を入力する入力画面５、作成されたＰＯＰデータのプレビュー画面６、参考情報を表示する参考情報表示画面（表示画面）７等をユーザ端末に配信する。
【００１５】
携帯端末２ａ、２ｂ及びＰＣ３ａ、３ｂ等のユーザ端末は、サーバ４から送信される各種表示情報を受信して表示し、またユーザの操作入力を受け付けてその操作情報をサーバ４へ送信する。
【００１６】
印刷装置１１は、電子写真式、インクジェット式等の家庭用又は業務用プリンタであって、入力される印刷指示に応じて、ＰＯＰデータ等を用紙上にプリントする。
【００１７】
サーバ１２は、外部装置であって、Twitter（登録商標）やFacebook（登録商標）等のソーシャル・ネットワーキング・サービスにおいて、所定期間内の使用頻度に基づいてランキング付けされたトレンドワードを提供する。ここで、トレンドワードとは、例えば、ソーシャル・ネットワーキング・サービス、インターネット上のコンテンツを検索するオンライン検索サービス、オンラインニュース配信サービス等の電気通信回線を介して提供される各種サービスにおいて、使用回数に基づきランキング付けされたキーワードのうちランキング上位のものや、検索数に基づきランキング付けされた検索キーワード（第２の検索キーワード）のうちランキング上位のものをいう。
【００１８】
通信ネットワークＮは、インターネットにより構成されているものとするが、ＬＡＮ（Local Area Network）、ＷＡＮ（Wide Area Network）等を含めても良く、電話回線、専用線、移動体通信網、通信衛星網、ＣＡＴＶ（Cable Television）回線等を含めても良い。
【００１９】
また、広告作成システム１は、各種ユーザ端末で利用される他のアプリケーションプログラムを実行可能なように構成されていても良い。当該アプリケーションプログラムとしては、例えば、店舗等の日別・月別の売上集計や分析を行う売上管理業務や、固定資産税や個人事業税等の納税処理を行う会計管理業務や、従業員の給与計算の処理を行う給与管理業務や、店舗の人員シフトの管理と従業員の勤怠管理の処理を行う就業管理業務や、関連事業者や従業員への通達文書の作成・管理を行う文書管理業務等を行うものが挙げられ、これらが実行可能とされていることで、広告作成システム１が経営支援システムとして機能するものとしても良い。
【００２０】
《サーバ４の構成》
次いで、サーバ４の内部構成を説明する。図２に、サーバ４の内部構成を示す。
【００２１】
図２に示すように、サーバ４は、ＣＰＵ（Central Processing Unit）４１と、操作入力部４２と、ＲＡＭ（Random Access Memory）４３と、サーバ表示部４４と、記憶部４５と、通信部４６と、計時部４７と、を備えて構成され、各部がバス４８を介して接続されている。
【００２２】
ＣＰＵ４１は、記憶部４５に記憶されているシステムプログラムを読み出し、ＲＡＭ４３のワークエリアに展開し、当該システムプログラムに従って各部を制御する。また、ＣＰＵ４１は、記憶部４５に記憶されている処理プログラムを読み出してワークエリアに展開し、後述するＰＯＰデータの作成や参考情報表示処理のサーバ４側の処理を始めとする各種処理を実行し、検索手段、表示制御手段、第１取得手段、第２取得手段、第３取得手段、提示手段及び第４取得手段として機能する。
【００２３】
操作入力部４２は、カーソルキー、文字、数字入力キー及び各種機能キー等を備えたキーボードを含む構成とし、ユーザによる各キーの押下入力を受け付けてその操作情報をＣＰＵ４１に出力する。また、操作入力部４２は、マウス等のポインティングデバイスを含み、位置入力を受け付けて操作情報としてＣＰＵ４１に出力することとしても良い。
【００２４】
ＲＡＭ４３は、揮発性のメモリーである。また、ＲＡＭ４３は、実行される各種プログラムやこれら各種プログラムに係るデータ等を格納するワークエリアを有する。
【００２５】
サーバ表示部４４は、ＬＣＤ（Liquid Crystal Display）、ＣＲＴ（Cathode Ray Tube）等で構成され、ＣＰＵ４１からの表示制御信号に従って画面表示を行う。
【００２６】
記憶部４５は、磁気記録媒体を有するＨＤＤ（Hard Disk Drive）等により構成される。記憶部４５には、ＣＰＵ４１で実行されるシステムプログラムや処理プログラム、Ｗｅｂサーバプログラム等のアプリケーションプログラム、これらのプログラムの実行に必要なデータ等が記憶されている。処理プログラムには、後述するＰＯＰデータの作成や参考情報表示処理等のサーバ４側の処理を始めとする各種処理を実行するためのプログラムが含まれる。
これらのプログラムは、コンピュータ読み取り可能なプログラムコードの形態で記憶部４５に格納されている。ＣＰＵ４１は、当該プログラムコードに従った動作を逐次実行する。
【００２７】
また、記憶部４５は、ＰＯＰデータの作成や参考情報表示処理等に用いられる各種データをあらかじめ記憶する。すなわち、記憶部４５は、例えば、ＰＯＰデータのレイアウト、ＰＯＰデータに含まれるアイキャッチ、書体、背景、フォント色、テクスチャ、イラスト等のＰＯＰデータ構成要素を記憶する。また、記憶部４５は、ユーザが経営又は所属する店舗又は会社の業種・業態等を含むユーザ情報等を記憶する。記憶部４５に記憶されるＰＯＰデータ構成要素は、入力画面５で入力される情報（以下、入力情報ともいう）から導き出される単語や配色、ユーザ情報に含まれる業種・業態、計時部４７により特定される季節・イベント等と各々対応付けられている。また、記憶部４５は、参考情報表示画面７にて表示されるキャッチコピーやアイキャッチのサンプルが記憶されている販促情報データベースを備えている。
【００２８】
さらに、記憶部４５は、ＰＯＰデータの作成や参考情報表示処理等においてユーザにより入力される各種データを記憶する。すなわち、記憶部４５は、例えば、入力画面５で入力される画像データ、過去に作成されたＰＯＰデータの作成履歴等を記憶する。
【００２９】
通信部４６は、モデム、ＴＡ（Terminal Adapter）、ルータ、ネットワークカード等により構成される。通信部４６は、通信ネットワークＮ上のユーザ端末等の外部機器と通信接続してデータ送受信を行う。
【００３０】
計時部４７は、計時回路を内蔵し、現在の時刻及び日付を計時して現在の時刻情報として出力する。
【００３１】
《携帯端末２ａの構成》
次いで、携帯端末２ａを例にとってユーザ端末の内部構成を説明する。図３に、携帯端末２ａの内部構成を示す。
【００３２】
図３に示すように、携帯端末２ａは、ＣＰＵ２１と、操作入力部２２と、ＲＡＭ２３と、端末表示部２４と、記憶部２５と、通信部２６と、計時部２７と、を備えて構成され、各部がバス２８を介して接続されている。
なお、ＰＣ３ａ、３ｂ及び携帯端末２ｂも携帯端末２ａと同様に構成されている。
【００３３】
ＣＰＵ２１、操作入力部２２、ＲＡＭ２３、端末表示部２４、記憶部２５、通信部２６、計時部２７は、それぞれ、サーバ４のＣＰＵ４１、操作入力部４２、ＲＡＭ４３、サーバ表示部４４、記憶部４５、通信部４６、計時部４７の構成と同様であり、異なる部分を主として説明する。
【００３４】
ＣＰＵ２１は、記憶部２５に記憶されているシステムプログラムを読み出し、ＲＡＭ２３のワークエリアに展開し、当該システムプログラムに従って各部を制御する。また、ＣＰＵ２１は、記憶部２５に記憶されている処理プログラムを読み出してワークエリアに展開し、後述するＰＯＰデータの作成や参考情報表示処理等の携帯端末２ａ側の処理を始めとする各種処理を実行する。
【００３５】
記憶部２５は、磁気記録媒体を有するＨＤＤ等により構成される。記憶部２５には、ＣＰＵ２１で実行されるシステムプログラムや処理プログラム、Ｗｅｂブラウザ等のアプリケーションプログラム、これらのプログラムの実行に必要なデータ等が記憶されている。当該処理プログラムには、後述するＰＯＰデータの作成や参考情報表示処理等の携帯端末２ａ側の処理を始めとする各種処理を実行するためのプログラムが含まれる。
【００３６】
通信部２６は、通信ネットワークＮ上のサーバ４等の外部機器と通信を行う。
【００３７】
《サーバ４の動作》
上記のように構成されるサーバ４の動作について、図４〜図６を参照して説明する。図４は、端末表示部２４に表示される情報入力前の入力画面５を示す図である。図５は、端末表示部２４に表示される情報入力後の入力画面５を示す図である。図６は、端末表示部２４に表示されるプレビュー画面６を示す図である。
【００３８】
サーバ４は、ユーザ端末を介してユーザにより入力されたテキストや画像データに基づき、対象の商品又は役務を紹介するＰＯＰデータを複数種作成する処理を行うよう構成されている。
【００３９】
すなわち、サーバ４のＣＰＵ４１は、ユーザ端末よりＰＯＰデータ作成用のプログラムの実行が要求されると、図４に示す入力画面５を端末表示部２４に表示させる。入力画面５は、ＰＯＰデータの作成に必要な情報を入力する画面である。当該必要な情報としては、作成するＰＯＰデータにて紹介する対象の商品の名称（商品名）、対象の商品の価格、対象の商品のキャッチコピー及び対象の商品の画像データである。したがって、入力画面５には、それらの各情報を入力するための入力欄として、商品名入力欄５１、価格入力欄５２、キャッチコピー入力欄５３及び画像データ入力欄５４が設けられている。また、入力画面５には、各入力欄５１〜５４の他に、紹介する商品をＰＯＰデータに追加する際に選択される商品追加ボタン５５、情報入力後ＰＯＰデータを作成する際に選択される作成ボタン５６、入力画面５の表示を終了する際に選択されるキャンセルボタン５７、後述する参考情報を表示する際に選択される参考ボタン５８等が設けられている。
【００４０】
入力画面５において、ユーザにより商品追加ボタン５５が選択されると、入力画面５に商品名入力欄５１、価格入力欄５２、キャッチコピー入力欄５３及び画像データ入力欄５４が各一つずつ追加される。ユーザにより、追加された各入力欄５１〜５４に情報が入力されることで、ＣＰＵ４１は、二種の商品の紹介が含まれたＰＯＰデータを作成することができる。よって、商品追加ボタン５５が複数回選択され、各入力欄５１〜５４に情報が入力されることで、ＣＰＵ４１は、複数種の商品の紹介が含まれたＰＯＰデータを作成することができる。
【００４１】
なお、入力画面５の各入力欄５１〜５４には、一つの商品について必ずしも全ての情報が入力される必要はなく、対象商品の商品名、キャッチコピー及び画像データのうち少なくとも一つが入力されていれば良いが、入力される情報が多いほど作成されるＰＯＰデータの精度が向上するため、各入力欄５１〜５４の全てに情報が入力されることが好ましい。
【００４２】
ユーザにより、一つの商品について商品名入力欄５１、キャッチコピー入力欄５３及び画像データ入力欄５４のうち少なくとも一つに情報が入力された上で、作成ボタン５６が選択されると、ＣＰＵ４１は、入力された情報に基づき、複数種のＰＯＰデータを作成する。すなわち、ＣＰＵ４１は、入力された商品名、キャッチコピー及び画像データに適したレイアウト、フォント色、書体、背景、テクスチャ、イラスト、アイキャッチ等の各ＰＯＰデータ構成要素を選択して、これらを入力情報と組み合わせて複数種のＰＯＰデータを作成する。例えば、図５に示すように、商品名入力欄５１に「ゆず塩ラーメン」、価格入力欄５２に「７００」円、キャッチコピー入力欄５３に「ゆずの風味が香るさっぱりしたラーメンです。」、画像データ入力欄５４に図５に示す画像データがそれぞれ入力された場合、ＣＰＵ４１は、複数種のＰＯＰデータを作成し、それらのうちの一つが表示された図６に示すプレビュー画面６を端末表示部２４に表示させる。
【００４３】
より具体的には、商品名入力欄５１やキャッチコピー入力欄５３に商品名やキャッチコピーのテキストが入力されている場合には、ＣＰＵ４１は、入力されたテキストを形態素解析し、当該テキストデータに含まれる単語を抽出する。ＣＰＵ４１は、抽出された単語にそれぞれ対応付けられたＰＯＰデータ構成要素を記憶部４５から取得する。
【００４４】
例えば、図５に示すように、商品名入力欄５１に「ゆず塩ラーメン」が入力された場合には、ＣＰＵ４１はこれを形態素解析して、「ゆず」、「塩」及び「ラーメン」の単語を抽出する。そして、ＣＰＵ４１は、例えば、「ゆず」の単語に対応付けられた黄色や緑色のフォント色、柚子のイラスト等のＰＯＰデータ構成要素を取得する。また、例えば、「ラーメン」の単語に対応付けられた、ラーメンの紹介に適したレイアウト等のＰＯＰデータ構成要素を取得する。
【００４５】
また、画像データ入力欄５４に商品の画像データが入力されている場合には、ＣＰＵ４１は、入力された画像データに対して画像解析を行い、例えば、当該画像データを構成する配色等や、当該画像データが示す商品の名称（単語）等を特定する。ＣＰＵ４１は、画像解析結果により導き出される配色や単語に対応付けられたＰＯＰデータ構成要素を記憶部４５から取得する。
【００４６】
例えば、図５に示すように、画像データ入力欄５４に「ラーメン」の画像データが入力された場合には、ＣＰＵ４１はこれを画像解析して、その画像データの配色や、画像データが示す商品の名称である「ラーメン」の単語を特定する。そして、特定された配色に対応付けられたフォント色や背景等のＰＯＰデータ構成要素を取得したり、「ラーメン」の単語に対応付けられた、ラーメンの紹介に適したレイアウト等のＰＯＰデータ構成要素を取得したりする。
【００４７】
また、ＣＰＵ４１は、入力画面５に入力された情報だけでなく、さらに、記憶部４５にユーザ情報として記憶されるユーザの業種・業態や、計時部４７により特定される季節・イベントに基づいて、記憶部４５からＰＯＰデータ構成要素を取得しても良い。具体的には、ユーザの業種・業態が例えば「中華料理店」を示す場合には、「中華料理店」の業種・業態に対応付けられた赤色のフォント色や、赤色を基調とした背景等のＰＯＰデータ構成要素を取得する。また、計時部４７により特定される季節・イベントが例えば「春」や「夏」である場合には、「春」や「夏」の季節・イベントに対応付けられた暖色系のフォント色等のＰＯＰデータ構成要素を取得する。また、計時部４７により特定される季節・イベントが例えば「クリスマス」である場合には、「クリスマス」の季節・イベントに対応付けられたイラスト等のＰＯＰデータ構成要素を取得する。
【００４８】
このようにして、ＣＰＵ４１は、各入力欄５１、５３、５４に入力された情報に基づいて各ＰＯＰデータ構成要素を取得し、これらと入力情報を組み合わせて複数種のＰＯＰデータを作成する。なお、選択されたＰＯＰデータ構成要素の数が、作成するＰＯＰデータの数に対して多い場合には、選択されたＰＯＰデータ構成要素の中から必要数をランダムで選択するものとしても良い。
【００４９】
ＣＰＵ４１は、プレビュー画面６において、作成された複数種のＰＯＰデータを、過去に作成されたＰＯＰデータの作成履歴に基づいて一つずつ順番に端末表示部２４に表示する。すなわち、過去に作成されたＰＯＰデータにおいて、例えば特定のレイアウトや書体が高い頻度で使用されている場合には、当該レイアウトや書体を使用したＰＯＰデータを優先的に端末表示部２４に表示させる。ＣＰＵ４１は、ＰＯＰデータが端末表示部２４に表示された状態で、ユーザによりスワイプ操作やタップ操作等が行われることで、他のＰＯＰデータを端末表示部２４に順次表示させる。いずれかのＰＯＰデータが端末表示部２４に表示された状態で、ユーザにより決定ボタン６１が選択された場合に、ＣＰＵ４１は、当該ＰＯＰデータを選択する。一方で、ユーザにより戻るボタン６２が選択された場合には、ＣＰＵ４１は、端末表示部２４に再び入力画面５を表示させる。
【００５０】
ＣＰＵ４１は、ＰＯＰデータを選択した後、当該ＰＯＰデータを完成版として記憶部４５に記憶させても良いし、ユーザにより所定の操作がなされた場合には、当該ＰＯＰデータの編集画面（図示略）を端末表示部２４に表示させるものとしても良い。これにより、当該ＰＯＰデータに含まれる各ＰＯＰデータ構成要素を更にユーザの所望に応じて変更し、変更後の、よりユーザの好みに近いＰＯＰデータを完成版として記憶部４５に記憶させることができる。
【００５１】
ＣＰＵ４１は、上記作成された完成版のＰＯＰデータについてユーザ端末から印刷の実行が要求された場合には、通信部４６を介して当該ＰＯＰデータを印刷装置１１に出力し、印刷装置１１に印刷させるものとしても良い。
【００５２】
（参考情報表示処理）
上記した入力画面５において、ユーザはキャッチコピー入力欄５３にキャッチコピーを入力することができるが、流行を取り入れたキャッチコピーを独力で考え出し、これを入力することはユーザにとって困難に感じられる場合が多い。本実施形態では、サーバ４が、以下に説明する参考情報表示処理を行うことで、キャッチコピーの作成を支援する。サーバ４により行われる参考情報表示処理について、図７及び図８を参照して説明する。図７は、参考情報表示処理の一例を示すフローチャートである。図８は、端末表示部２４に表示される参考情報表示画面７を示す図である。
【００５３】
まず、サーバ４のＣＰＵ４１は、ユーザ端末からＰＯＰデータ作成用のプログラムの実行が要求されたときに、図４に示す入力画面５を端末表示部２４に表示させる（ステップＳ１０１）。
【００５４】
次に、ＣＰＵ４１は、入力画面５においてユーザにより参考ボタン５８が選択されたか否かを判定する（ステップＳ１０２）。
【００５５】
参考ボタン５８が選択されたと判定されると（ステップＳ１０２；ＹＥＳ）、ＣＰＵ４１は、外部装置であるサーバ１２にアクセスし、当該サーバ１２からトレンドワードを参考情報として取得する（ステップＳ１０３）。より具体的には、例えば、ＣＰＵ４１は、サーバ１２が提供する、Twitter（登録商標）やFacebook（登録商標）等のソーシャル・ネットワーキング・サービスにおいて、所定期間内の使用回数に基づきランキング付けされたトレンドワードを、ランキングが最も高いものから順に所定数取得し、これを参考情報とする。
【００５６】
参考ボタン５８が選択されないと判定されると（ステップＳ１０２；ＮＯ）、ＣＰＵ４１は、ステップＳ１０３〜Ｓ１１０の処理を省略し、後述するステップＳ１１１の処理を行う。
【００５７】
次に、ＣＰＵ４１は、記憶部４５の販促情報データベースからキャッチコピーのサンプルを参考情報として取得する（ステップＳ１０４）。
【００５８】
次に、ＣＰＵ４１は、ステップＳ１０３、Ｓ１０４にて取得された参考情報を、図８に示す参考情報表示画面７として端末表示部２４に表示させる（ステップＳ１０５）。参考情報表示画面７には、サンプル表示領域７１、トレンドワード表示領域７２等が含まれる。サンプル表示領域７１には、ステップＳ１０４で取得されたキャッチコピーのサンプルが一覧表示され、トレンドワード表示領域７２には、ステップＳ１０３で取得したトレンドワード（図８に示す例においては「炭酸水」、「フルーツカクテル」、「玄米」等）が一覧表示されている。また、参考情報表示画面７には、入力領域７３が設けられ、ユーザにより当該入力領域７３に第１の検索キーワードが入力された上で検索ボタン７６が選択されることで、参考情報表示画面７に表示された参考情報からの検索が可能となっている。また、ユーザにより入力領域７３に第１の検索キーワードが入力された上でクリアボタン７７が選択された場合には、入力領域７３に入力された第１の検索キーワードを削除する。
【００５９】
次に、ＣＰＵ４１は、第１の検索キーワードが入力されたか否かを判定する（ステップＳ１０６）。具体的には、例えば、ユーザにより入力領域７３に第１の検索キーワードが入力された上で、検索ボタン７６が選択された場合に、ＣＰＵ４１は、第１の検索キーワードが入力されたと判定する。ここで、ユーザは、第１の検索キーワード入力時にトレンドワード表示領域７２を参照し、表示されるトレンドワードを第１の検索キーワードの入力の参考にすることができる。
【００６０】
第１の検索キーワードが入力されないと判定されると（ステップＳ１０６；ＮＯ）、ＣＰＵ４１は、ステップＳ１０７の処理を省略し、後述するステップＳ１０９の処理を行う。
【００６１】
第１の検索キーワードが入力されたと判定されると（ステップＳ１０６；ＹＥＳ）、ＣＰＵ４１は、第１の検索キーワードに対応したキャッチコピーのサンプルをサンプル表示領域７１に表示させる（ステップＳ１０７）。例えば、図９に示すように、ユーザにより入力領域７３に「ゆず」が入力された場合には、ＣＰＵ４１は、「独特の華やかな香りで注目のゆず果肉使用！」等のサンプルをサンプル表示領域７１に表示させる。また、図１０に示すように、ユーザによりトレンドワード表示領域７２に表示される「フルーツカクテル」を参考に、入力領域７３に「ゆずカクテル」が入力された場合には、ＣＰＵ４１は、「ゆずの風味が香るさっぱりしたサワーカクテルです。」等のサンプルをサンプル表示領域７１に表示させる。
【００６２】
次に、ＣＰＵ４１は、キャッチコピーのサンプルが選択されたか否かを判定する（ステップＳ１０８）。具体的には、例えば、ユーザによりサンプル表示領域７１に表示されたキャッチコピーのサンプルのうちいずれかが選択された上で、選択ボタン７４が選択された場合に、ＣＰＵ４１は、キャッチコピーのサンプルが選択されたと判定する。
【００６３】
キャッチコピーのサンプルが選択されたと判定されると（ステップＳ１０８；ＹＥＳ）、ＣＰＵ４１は、参考情報表示画面７の表示を終了するとともに、選択されたキャッチコピーのサンプルを入力画面５のキャッチコピー入力欄５３に入力する。例えば、キャッチコピーのサンプルとして、図１０に示す「ゆずの風味が香るさっぱりしたサワーカクテルです。」がサンプル表示領域７１にてユーザにより選択された場合には、キャッチコピー入力欄５３に当該サンプルが入力される。これにより、ユーザは、入力された「ゆずの風味が香るさっぱりしたサワーカクテルです。」のうち「サワーカクテル」の文言を、対象の商品の名称の一部である「ラーメン」に置き換えることで、図５に示すように「ゆずの風味が香るさっぱりしたラーメンです。」というキャッチコピーを入力することができる。
【００６４】
キャッチコピーのサンプルが選択されないと判定されると（ステップＳ１０８；ＮＯ）、ＣＰＵ４１は、参考情報表示画面７による参考情報の表示を終了するか否かを判定する（ステップＳ１１０）。具体的には、例えば、ユーザにより参考情報表示画面７の戻るボタン７５が選択された場合に、ＣＰＵ４１は参考情報の表示を終了すると判定する。
【００６５】
参考情報の表示を終了しないと判定されると（ステップＳ１１０；ＮＯ）、ＣＰＵ４１は、参考情報表示画面７の表示を継続し、再びステップＳ１０６の処理を行う。
【００６６】
一方、参考情報の表示を終了すると判定されると（ステップＳ１１０；ＹＥＳ）、ＣＰＵ４１は、参考情報表示画面７の表示を終了するとともに入力画面５を端末表示部２４に表示させ、後述するステップＳ１１１の処理を行う。
【００６７】
ステップＳ１０９の処理を行った後、ＣＰＵ４１は、入力画面５における各情報の入力を終了するか否かを判定する（ステップＳ１１１）。例えば、ユーザにより、入力画面５における各入力欄５１、５３、５４のうち少なくとも一つに情報が入力された上、作成ボタン５６が選択された場合に、ＣＰＵ４１は入力を終了すると判定する。また、例えば、ユーザにより、入力画面５におけるキャンセルボタン５７が選択された場合にも、ＣＰＵ４１は入力を終了すると判定する。
【００６８】
入力を終了しないと判定されると（ステップＳ１１１；ＮＯ）、ＣＰＵ４１は、再びステップＳ１０２の処理を行う。
【００６９】
一方、入力を終了すると判定されると（ステップＳ１１１；ＹＥＳ）、ＣＰＵ４１は、参考情報表示処理を終了する。例えば、各入力欄５１、５３、５４のうち少なくとも一つに情報が入力された上で作成ボタン５６が選択された場合には、ＣＰＵ４１は、入力画面５の表示を終了するとともに各入力欄５１〜５４に入力された情報に基づき複数種のＰＯＰデータを作成する。そして、作成されたＰＯＰデータのうちの一つが表示されたプレビュー画面６を端末表示部２４に表示させる。また、入力画面５においてキャンセルボタン５７が選択された場合には、ＣＰＵ４１は、入力画面５の表示を終了するとともに、ＰＯＰデータ作成用のプログラムを終了する。
以上のようにして参考情報表示処理を行う。
【００７０】
《本実施形態の技術的効果》
本実施形態によれば、サーバ４が、入力領域７３に入力された第１の検索キーワードに基づいて、対象となる商品の販売促進を目的とするキャッチコピーのサンプルが記憶されている販促情報データベースから第１の検索キーワードに対応したキャッチコピーのサンプルを検索し、入力領域７３に入力される第１の検索キーワードの参考として所定のトレンドワードを入力領域７３が表示される参考情報表示画面７に表示させるＣＰＵ４１と、を備えるので、ユーザは、流行に応じたキャッチコピーのサンプルを検索して取得することができる。よって、ユーザは、これを元にすることで、流行を取り入れたキャッチコピーを容易に作成することができる。
【００７１】
また、ＣＰＵ４１が、インターネット上のコンテンツを検索対象とした第２の検索キーワードのうち所定の期間に検索数の上位とされた第２の検索キーワードを取得し、取得された第２の検索キーワードをトレンドワードとして参考情報表示画面７に表示させるので、より確実に流行を取り入れたキャッチコピーを作成することができる。
【００７２】
また、ＣＰＵ４１が、インターネットを介して提供されるソーシャル・ネットワーキング・サービスにおいて所定の期間に使用回数の上位とされたキーワードを取得し、取得されたキーワードをトレンドワードとして参考情報表示画面７に表示させるので、より確実に流行を取り入れたキャッチコピーを作成することができる。
【００７３】
また、本実施形態によれば、ユーザの入力に基づき、対象となる商品の販売促進を目的とするキャッチコピーを作成するサーバ４が、キャッチコピーの作成の参考となる参考情報としてトレンドワードを取得し、取得された参考情報を提示するＣＰＵ４１を備えるので、ユーザは、流行を取り入れたキャッチコピーを容易に作成することができる。
【００７４】
また、ＣＰＵ４１は、あらかじめ入力されたユーザ情報に関連するトレンドワードを参考情報として取得するので、ユーザとの間で関連性の低い参考情報が除外され、ユーザは所望の参考情報を見つけやすい。したがって、ユーザは流行を取り入れたキャッチコピーをより容易に作成することができる。
【００７５】
また、ＣＰＵ４１は、対象となる商品に関連するトレンドワードを参考情報として取得するので、当該商品との間で関連性の低い参考情報が除外され、ユーザは所望の参考情報を見つけやすい。したがって、ユーザは流行を取り入れたキャッチコピーをより容易に作成することができる。
【００７６】
また、ＣＰＵ４１は、作成されたキャッチコピーに関連するトレンドワードを参考情報として取得するので、作成されたキャッチコピーとの間で関連性の低い参考情報が除外され、ユーザは所望の参考情報を見つけやすい。これによりユーザは、作成したキャッチコピーの改善を容易に行うことができる。
【００７７】
また、キャッチコピーのサンプルを記憶する記憶部４５を更に備え、ＣＰＵ４１は、記憶部４５から当該サンプルを参考情報として取得するので、ユーザは、サンプルを雛型としてキャッチコピーを作成したり、サンプルに含まれる一部のフレーズを取り入れてキャッチコピーを作成したりすることができる。したがって、ユーザはキャッチコピーをより容易に作成することができる。
【００７８】
また、ＣＰＵ４１が、キャッチコピーを作成するためのユーザによる入力時に、参考情報を提示するので、ユーザは参考情報を確認しながら情報を入力することができ、ユーザは流行を取り入れたキャッチコピーをより容易に作成することができる。
【００７９】
《その他》
なお、上記実施形態における記述は、本発明に係る好適な広告作成装置、販促情報作成装置の一例であり、これに限定されるものではない。
【００８０】
例えば、上記した実施形態では、サーバ４は、各種データを記憶部４５に記憶し、各種表示画面を端末表示部２４に表示させるものとしたが、これに限られるものではない。例えば、サーバ４が、各種データを記憶部４５に記憶し、各種表示画面をサーバ表示部４４に表示させるように構成されていても良い。また、携帯端末２ａが、各種データを記憶部２５に記憶し、各種表示画面を端末表示部２４に表示するように構成されていても良く、この場合には携帯端末２ａ自体が広告作成装置又は販促情報作成装置として機能する。
【００８１】
また、上記した実施形態では、入力画面５に商品に関する情報を入力し、当該商品を紹介するＰＯＰデータを作成するものとしたが、これに限られるものではなく、例えば、入力画面５に役務に関する情報を入力し、当該役務を紹介するＰＯＰデータを作成するものとしても良い。
【００８２】
また、上記した実施形態では、入力画面５の参考ボタン５８が選択されたときに参考情報表示画面７を表示するものとしたが、これに限られるものではない。例えば、作成された複数種のＰＯＰデータからユーザにより選択されたＰＯＰデータの編集画面（図示略）において、ユーザにより所定操作がなされたときに参考情報表示画面７を表示するものとしても良い。また、当該編集画面において、ユーザによりＰＯＰデータ内に含まれるアイキャッチを編集することが選択されたときに、参考情報表示画面７を表示するものとしても良い。この場合には、参考情報表示画面７のサンプル表示領域７１には、記憶部４５から取得されたアイキャッチのサンプルが表示されるものとしても良い。
また、入力画面５や編集画面（図示略）が表示されているとき以外のタイミングで、参考情報表示画面７を表示するものとしても良い。
【００８３】
また、上記した実施形態では、外部装置であるサーバ１２から参考情報としてトレンドワードを取得するものとしたが、これに限られるものではなく、例えば、あらかじめ記憶部４５に記憶されたトレンドワードを取得するものとしても良い。
【００８４】
また、上記した実施形態では、Twitter（登録商標）等のソーシャル・ネットワーキング・サービスにおける所定期間内の使用頻度に基づきランキング付けされたトレンドワードを、ランキングが最も高いものから順に所定数取得し、これを参考情報とするものとしたが、これに限られるものではない。例えば、Google（登録商標）やYahoo!（登録商標）等のオンライン検索サービスにおける単位時間当たりの検索回数の変動率に基づきランキング付けされたトレンドワード（いわゆる急上昇ワード）を、ランキングが最も高いものから順に所定数取得し、これを参考情報としても良い。また、例えば、オンラインニュース配信サービスにおいて、所定期間内の使用頻度又は検索回数に基づきランキング付けされたトレンドワードを、ランキングが最も高いものから順に所定数取得し、これを参考情報としても良い。
【００８５】
また、上記した実施形態では、取得した参考情報を参考情報表示画面７に表示させるものとしたが、これに限られるものではない。例えば、取得した参考情報から入力情報やユーザ情報に関連するものを抽出し、抽出されたものを参考情報表示画面７に表示させるものとしても良い。ここで、本発明において「関連する」とは、対象の情報から導き出される単語に対応付けられた関連語群と、参考情報から導き出される単語に対応付けられた関連語群との間に、同一の単語が少なくとも一つ含まれることをいう。よって、この場合には、ＣＰＵ４１が、あらかじめ単語ごとに対応付けられる関連語群を、記憶部４５や外部装置等から取得可能なように構成されている。
より具体的には、ユーザにより商品名入力欄５１に「ゆず塩ラーメン」が入力された上で参考ボタン５８が選択された場合には、ＣＰＵ４１は「ゆず塩ラーメン」を形態素解析して「ゆず」、「塩」及び「ラーメン」の単語に分割し、それぞれの単語にあらかじめ対応付けられた関連語群（例えば、「食品」、「果物」、「柑橘類」、「黄色」、「秋」、「冬至」等）を取得する。次いで、参考情報として取得されたキーワード及びサンプルに対しても同様に形態素解析を行い、分割された単語にあらかじめ対応付けられた関連語群を取得し、上記「ゆず塩ラーメン」に基づき取得された関連語群と比較する。そして、一致する単語が一つでも存在する場合には、当該参考情報は入力情報に関連するものとして抽出される。また、キャッチコピー入力欄５３に書きかけのキャッチコピーや何らかの単語が入力された上で参考ボタン５８が選択された場合にも、ＣＰＵ４１は、同様の処理を行い、キャッチコピー入力欄５３に入力された情報に関連する参考情報を抽出するものとしても良い。したがってこの場合には、ユーザはキャッチコピー入力欄５３にキャッチコピーを入力した後に、これを更に改善する目的で参考ボタン５８を選択することが可能となる。
また、画像データ入力欄５４に「ラーメン」の画像データが入力された上で参考ボタン５８が選択された場合には、ＣＰＵ４１は、当該画像データに対して画像解析を行い、画像データが示す商品の名称である「ラーメン」の単語を特定する。そして、ＣＰＵ４１は、「ラーメン」の単語にあらかじめ対応付けられた関連語群を取得し、上記と同様にして、関連する参考情報を抽出する。
【００８６】
また、上記した実施形態では、端末表示部２４に参考情報表示画面７を表示することにより、参考情報を提示するものとしたが、これに限られるものではない。例えば、参考情報を用紙等に印刷することによりこれを提示するものとしても良いし、参考情報を音声で出力することによりこれを提示するものとしても良い。
【００８７】
また、上記した実施形態では、サーバ１２及び記憶部４５から取得した参考情報をともに参考情報表示画面７に表示させるものとしたが、例えば、サーバ１２からのみ参考情報を取得し、当該参考情報のみを参考情報表示画面７に表示させるものとしても良い。
【００８８】
また、上記した実施形態では、作成された複数種のＰＯＰデータをプレビュー画面６において一つずつ順番に表示されるものとしたが、これに限られるものではなく、例えば、作成された複数種のＰＯＰデータが複数ずつ順番に表示されるものとしても良いし、一覧表示されるものとしても良い。
【００８９】
また、上記した実施形態では、本発明に係るプログラムのコンピュータ読み取り可能な媒体としてハードディスクや半導体の不揮発性メモリー等を使用した例を開示したが、この例に限定されない。その他のコンピュータ読み取り可能な媒体として、ＣＤ−ＲＯＭ等の可搬型記録媒体を適用することが可能である。また、本発明に係るプログラムのデータを通信回線を介して提供する媒体として、キャリアウェーブ（搬送波）も適用される。
【００９０】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
所定の入力領域に入力された第１の検索キーワードに基づいて、対象となる商品又は役務の販売促進を目的とする販促情報のサンプルが記憶されている所定のデータベースから前記第１の検索キーワードに対応した販促情報のサンプルを検索する検索手段と、
前記所定の入力領域に入力される第１の検索キーワードの参考として所定のトレンドワードを前記所定の入力領域が表示され表示る画面に表示させる表示制御手段と、を備えることを特徴とする広告作成装置。
＜請求項２＞
前記販促情報は、広告の一部として記載されるキャッチコピーであることを特徴とする請求項１に記載の広告作成装置。
＜請求項３＞
インターネット上のコンテンツを検索対象とした第２の検索キーワードのうち所定の期間に検索数の上位とされた第２の検索キーワードを取得する第１取得手段を備え、
前記表示制御手段は、前記第１取得手段により取得された第２の検索キーワードを前記トレンドワードとして前記表示画面に表示させることを特徴とする請求項１に記載の広告作成装置。
＜請求項４＞
インターネットを介して提供されるソーシャル・ネットワーキング・サービスにおいて所定の期間に使用回数の上位とされたキーワードを取得する第２取得手段を備え、
前記表示制御手段は、前記第２取得手段により取得されたキーワードを前記トレンドワードとして前記表示画面に表示させることを特徴とする請求項１に記載の広告作成装置。
＜請求項５＞
ユーザの入力に基づき、対象となる商品又は役務の販売促進を目的とする販促情報を作成する販促情報作成装置であって、
前記販促情報の作成の参考となる参考情報としてトレンドワードを取得する第３取得手段と、
前記第３取得手段により取得された前記参考情報を提示する提示手段と、を備えることを特徴とする販促情報作成装置。
＜請求項６＞
前記第３取得手段は、あらかじめ入力されたユーザ情報に関連するトレンドワードを前記参考情報として取得することを特徴とする請求項５に記載の販促情報作成装置。
＜請求項７＞
前記第３取得手段は、前記商品又は役務に関連するトレンドワードを前記参考情報として取得することを特徴とする請求項５又は６に記載の販促情報作成装置。
＜請求項８＞
前記第３取得手段は、作成された前記販促情報に関連するトレンドワードを前記参考情報として取得することを特徴とする請求項５から７のいずれか一項に記載の販促情報作成装置。
＜請求項９＞
前記販促情報のサンプルを記憶する記憶手段と、
前記記憶手段から前記サンプルを前記参考情報として取得する第２取得手段と、を更に備え、
前記提示手段は、前記第４取得手段により取得された前記参考情報を更に提示することを特徴とする請求項５から８のいずれか一項に記載の販促情報作成支援装置。
＜請求項１０＞
前記提示手段は、前記販促情報を作成するためのユーザによる入力時に、前記参考情報を提示することを特徴とする請求項５から９のいずれか一項に記載の販促情報作成装置。
＜請求項１１＞
コンピュータを、
所定の入力領域に入力された第１の検索キーワードに基づいて、対象となる商品又は役務の販売促進を目的とする販促情報のサンプルが記憶されている所定のデータベースから前記第１の検索キーワードに対応した販促情報のサンプルを検索する検索手段、
前記所定の入力領域に入力される第１の検索キーワードの参考として所定のトレンドワードを前記所定の入力領域が表示される表示画面に表示させる表示制御手段、
として機能させるためのプログラム。
＜請求項１２＞
ユーザの入力に基づき、対象となる商品又は役務の販売促進を目的とする販促情報を作成する販促情報作成装置のコンピュータを、
前記販促情報の作成の参考となる参考情報としてトレンドワードを取得する第３取得手段、
前記第３取得手段により取得された前記参考情報を提示する提示手段、
として機能させるためのプログラム。
【符号の説明】
【００９１】
４    サーバ（広告作成装置、販促情報作成装置）
７    参考情報表示画面（表示画面）
４１  ＣＰＵ（検索手段、表示制御手段、第１取得手段、第２取得手段、第３取得手段、提示手段、第４取得手段）
４５  記憶部（記憶手段）
７３  入力領域
【図１】
2018136805.tif 000003
【図２】
2018136805.tif 000004
【図３】
2018136805.tif 000005
【図４】
2018136805.tif 000006
【図５】
2018136805.tif 000007
【図６】
2018136805.tif 000008
【図７】
2018136805.tif 000009
【図８】
2018136805.tif 000010
【図９】
2018136805.tif 000011
【図１０】
2018136805.tif 000012